(57)【要約】【課題】より確実にサイフォン現象を発現させることが可能な雨水排水装置を提供すること。【解決手段】の雨水排水装置１０は、流入口１１と、立て配管部１３と、横引き配管部１４と、を備える。流入口１１は、雨水が流入する。立て配管部１３は、流入口１１に接続され、縦方向に沿って配置されている。横引き配管部１４は、接続部５１、５２において立て配管部１３に接続され、横方向に沿って配置されている。接続部５１から流入口１１までの立て配管部１３の長さＬおよび接続部５２から流入口１１までの立て配管部１３の長さＬは、６０ｃｍ以上である。【選択図】図４
2020016096.tif 000002
【特許請求の範囲】
【請求項１】
雨水が流入する流入口と、
前記流入口に接続され、縦方向に沿って配置された第１配管部と、
第１接続部において前記第１配管部に接続され、横方向に沿って配置された第２配管部と、を備え、
前記第１接続部から前記流入口までの前記第１配管部の長さは、６０ｃｍ以上である、
雨水排水装置。
【請求項２】
前記流入口と前記第１配管部と前記第１接続部は、複数設けられ、
隣り合う前記第１接続部の間隔は、１５ｍ以下である、
請求項１に記載の雨水排水装置。
【請求項３】
第２接続部において前記第２配管部に接続され、前記第２配管部の下側に前記縦方向に沿って配置された第３配管部を更に備え、
前記第２接続部から、前記第２接続部に最も近い前記第１接続部までの前記第２配管部の長さは、１５ｍ以下である、
請求項２に記載の雨水排水装置。
【請求項４】
第２接続部において前記第２配管部に接続され、前記第２配管部の下側に前記縦方向に沿って配置された第３配管部を更に備え、
前記第２接続部から前記第１接続部までの前記第２配管部の長さは、１５ｍ以下である、
請求項１に記載の雨水排水装置。
【請求項５】
前記流入口に配置され、サイフォン現象を誘発するサイフォン誘発部を更に備えた、
請求項１〜４のいずれかに記載の雨水排水装置。
【発明の詳細な説明】
【技術分野】
【０００１】
本発明は、雨水を排水するための雨水排水装置に関する。
【背景技術】
【０００２】
従来、サイフォン現象を誘発させることによって雨水の排水効率を向上させる構成が提案されている（例えば、特許文献１参照。）。
【０００３】
例えば、特許文献１に示す構成では、家屋の軒樋の下側に配置されたエルボ継手や丸樋などによって構成されるサイフォン管によってサイフォン現象が誘発されていた。
【先行技術文献】
【特許文献】
【０００４】
【特許文献１】特許第４１３０６１６号公報
【発明の概要】
【発明が解決しようとする課題】
【０００５】
しかしながら、ビル等の高い建造物では一般的に雨水を排水する配管が建造物の内側に配置されるため、雨水を地面まで落下させる立て配管を壁や柱の内側等の制約された位置に通す必要がある。
【０００６】
そのため、屋根の流入口から立て配管まで横引き配管によって雨水を導く必要が考えられるが、横引き配管の長さによっては、上記特許文献１に示すようなサイフォン現象が発現し難くなる場合がある。
【０００７】
本発明は、より確実にサイフォン現象を発現させることが可能な雨水排水装置を提供することを目的とする。
【課題を解決するための手段】
【０００８】
上記目的を達成するために、第１の発明にかかる雨水排水装置は、流入口と、第１配管部と、第２配管部と、を備える。流入口は、雨水が流入する。第１配管部は、流入口に接続され、縦方向に沿って配置されている。第２配管部は、第１接続部において第１配管部に接続され、横方向に沿って配置されている。第１接続部から流入口までの第１配管部の長さは、６０ｃｍ以上である。
【０００９】
このように、縦方向に配置されている第１配管部の流入口から第２配管部までの長さを６０ｃｍ以上に設定することによって、サイフォン現象を発現させることが可能な状態で、ビル等の建造物に適用できる第２配管部の長さを確保することができる。
【００１０】
このため、建造物の内側にも適用可能な構成において、より確実にサイフォン現象を発現させることができる。
【００１１】
なお、本明細書における「縦方向」とは、厳密な意味でなく、社会通念上縦方向と認識可能な範囲であればよく、傾斜があってもよい。また、「横方向」とは、厳密な意味でなく、社会通念上横方向と認識可能な範囲であればよく、傾斜があってもよい。
【００１２】
第２の発明にかかる雨水排水装置は、第１の発明にかかる雨水排水装置であって、流入口と第１配管部と第１接続部は、複数設けられている。隣り合う第１接続部の間隔は、１５ｍ以下である。
【００１３】
このように、第２配管部に複数の流入口から雨水が流れ込む場合において、第１接続部の間の長さを１５ｍ以下に設定することにより、サイフォン現象を発現させることができる。
【００１４】
第３の発明にかかる雨水排水装置は、第２の発明にかかる雨水排水装置であって、第３配管部を更に備える。第３配管部は、第２接続部において第２配管部に接続され、第２配管部の下側に縦方向に沿って配置されている。第２接続部から、第２接続部に最も近い第１接続部までの第２配管部の長さは、１５ｍ以下である。
【００１５】
このように、第２配管部に複数の流入口から雨水が流れ込む場合であっても、第２接続部と第２接続部に最も近い第１接続部との間の長さを１５ｍ以下に設定することにより、サイフォン現象を発現させることができる。
【００１６】
第４の発明にかかる雨水排水装置は、第１の発明にかかる雨水排水装置であって、第３配管部を更に備える。第３配管部は、第２接続部において第２配管部に接続され、第２配管部の下側に縦方向に沿って配置されている。第２接続部から第１接続部までの第３配管部の長さは、１５ｍ以下である。
【００１７】
このように、第２配管部に１つの流入口から雨水が流れ込む場合において、第１接続部の間の長さを１５ｍ以下に設定することにより、サイフォン現象を発現させることができる。
【００１８】
第５の発明にかかる雨水排水装置は、第１〜４のいずれかの発明にかかる雨水排水装置であって、サイフォン誘発部を更に備える。サイフォン誘発部は、流入口に配置され、サイフォン現象を誘発する。
【００１９】
これにより、より確実にサイフォン現象を発現させることができる。
【発明の効果】
【００２０】
本発明によれば、より確実にサイフォン現象を発現させることが可能な雨水排水装置を提供することができる。
【図面の簡単な説明】
【００２１】
【図１】本発明にかかる実施の形態における雨水排水システムの構成を示す概略図。
【図２】図１の雨水排水システムにおける流入口近傍の断面図。
【図３】（ａ）図２の排水装置におけるサイフォン誘発部の構成を示す正面図、（ｂ）図３（ａ）のサイフォン誘発部の平面図。
【図４】図１の雨水排水装置の模式図。
【図５】実施例１〜８および比較例１〜７の結果の表を示す図。
【図６】本発明にかかる実施の形態の変形例の雨水排水装置の模式図。
【図７】本発明にかかる実施の形態の変形例の雨水排水装置の模式図。
【発明を実施するための形態】
【００２２】
本発明の実施の形態に係る雨水排水装置１０について図面を参照しながら説明する。
＜１．構成＞
図１は、本実施の形態における雨水排水装置１０の構成を示す図である。
【００２３】
本実施の形態の雨水排水装置１０は、図１に示すように、建造物１００に設置された雨水排水システム１の一部を構成する。
【００２４】
建造物１００は、例えば３階建てのビルであって、１階と２階との間、２階と３階との間に、それぞれスラブ１０１が設けられている。
【００２５】
（雨水排水システム１）
雨水排水システム１は、建造物１００の屋上１０５に降った雨水を地面近傍に移動させて下水管に排水する。雨水排水システム１は、図１に示すように、２つの雨水排水装置１０を備えている。２つの雨水排水装置１０は、建造物１００の対向する側面１０３、１０４の近傍に配置されている。
【００２６】
（雨水排水装置１０）
雨水排水装置１０は、複数の流入口１１と、複数のサイフォン誘発部１２と、複数の立て配管部１３と、横引き配管部１４と、立て配管部１５と、排水部１６と、を有する。
【００２７】
（流入口１１）
流入口１１は、屋上１０５に形成された開口であり、屋上１０５に落下した雨水が流入する。
【００２８】
図２は、流入口１１および後述するサイフォン誘発部１２を示す側断面図である。図２に示す流入口１１は、２つの流入口１１のうち最も立て配管部１５から遠い流入口１１を示す。
【００２９】
図２に示すように、流入口１１は、屋上１０５に形成された凹部１０２の底面１０２ａに形成されている。
【００３０】
本実施の形態では、各々の雨水排水装置１０は、２つの流入口１１を有している。一方の雨水排水装置１０の２つの流入口１１は、屋上１０５の端１０５ａに沿って並んで配置されている。また、他方の雨水排水装置１０の２つの流入口１１は、屋上１０５の端１０５ａに対向する端１０５ｂに沿って並んで配置されている。すなわち、屋上１０５には、４つの流入口１１が設けられており、各々の雨水排水装置１０に設けられた２つの流入口１１は、屋上１０５の対向する端１０５ａ、１０５ｂに沿って配置されている。
【００３１】
なお、屋上１０５の端１０５ａ、１０５ｂは、端に沿った方向のいずれか一方に向かって傾斜していてもよい。また、屋上１０５は、端１０５ａ、１０５ｂに向かって中央から傾斜していてもよい。
【００３２】
本実施の形態では、流入口１１は、屋上１０５に形成された凹部１０２の底面１０２ａに形成されているが、凹部１０２を設けず直接屋上１０５に形成されていてもよい。
【００３３】
（サイフォン誘発部１２）
サイフォン誘発部１２は、図２に示すように、流入口１１を塞ぐように配置されている。
【００３４】
サイフォン誘発部１２の材質としては、例えば、ＰＥ（ポリエチレン）やＰＰ（ポリプロピレン）などのオレフィン系樹脂、塩ビ樹脂、あるいは、アルミニウム、アルミ合金、ステンレス等の金属等を用いることができる。
【００３５】
樹脂やアルミニウム、アルミニウム合金を用いることにより、軽量かつ低コストで、所望の形状を備えたサイフォン誘発部１２を得ることができる。
【００３６】
図３（ａ）は、サイフォン誘発部１２の平面構成図であり、図３（ｂ）は、図３（ａ）のＡＡ´間の矢示断面図である。
【００３７】
サイフォン誘発部１２は、ベース部４１と、蓋部４２と、整流フィン４３と、を有する。
【００３８】
ベース部４１は、図３（ａ）および図３（ｂ）に示すように、円環状の底面４１ａと、底面４１ａの略中心に形成された雨水を落下させる落とし口４１ｂと、筒状部４１ｃとを有している。そして、落とし口４１ｂは筒状部４１ｃの上端に形成されている。筒状部４１ｃは、立て配管部１３に配置される。
【００３９】
底面４１ａは、図３（ａ）および図３（ｂ）に示すように、略中央部分に落とし口４１ｂが形成された円環状の部材である。そして、円環状の底面４１ａには、落とし口４１ｂを中心に、複数の整流フィン４３が等角度間隔で配置されている。
【００４０】
落とし口４１ｂは、図３（ａ）に示すように、ベース部４１の中心部に形成された貫通穴であって、筒状部４１ｃの内部に形成されている。そして、落とし口４１ｂは、立て配管部１３の上端部に連通しており、サイフォン誘発部１２に対して３６０度方向から流入してきた雨水を、立て配管部１３内へと落下させる。
【００４１】
筒状部４１ｃは、図３（ａ）および図３（ｂ）に示すように、円筒状の部材であって、その上端部において底面４１ａと連結され、底面４１ａから下向きに突出するように形成されている。そして、筒状部４１ｃは、内部に落とし口４１ｂが形成される。
【００４２】
蓋部４２は、図３（ａ）および図３（ｂ）に示すように、ベース部４１の上方に、ベース部４１の中心に形成された落とし口４１ｂと同心円状に配置された円形の板状部材であって、ベース部４１の底面４１ａ上に立設された複数の整流フィン４３によって支持されている。また、蓋部４２は、図３（ｂ）に示すように、ベース部４１（落とし口４１ｂ）の上方に、底面４１ａから所定の隙間Ｇの大きさ（高さ）をあけて配置されている。
【００４３】
複数の整流フィン４３は、図３（ａ）および図３（ｂ）に示すように、落とし口４１ｂに流入する雨水の流れを整えるために、ベース部４１の底面４１ａ上に設けられている。より具体的には、複数の整流フィン４３は、図３（ａ）に示すように、略鉛直方向に沿って配置された板状の部材であって、底面４１ａ上に、落とし口４１ｂを中心とする円の円周上に、等角度間隔で８つ設けられている。
【００４４】
また、８つの整流フィン４３は、それぞれ円環状の底面４１ａにおいて、径方向に沿って配置されている。
【００４５】
これにより、図３（ａ）に示すように、ベース部４１の底面４１ａと蓋部４２との間の隙間Ｇに流入してきた雨水が渦状に浸入してきた場合（図中一点鎖線参照）でも、整流フィン４３によって雨水を整流し、落とし口４１ｂの中心に向かって雨水を誘導することができる。
【００４６】
このため、立て配管部１３内に雨水が渦状に流入して、その中心部に空気柱が形成されることを防止することができる。
【００４７】
この結果、整流フィン４３によって、落とし口４１ｂへ流入していく雨水の中心に空気柱が形成されることを防止することで、立て配管部１３内において生じるサイフォン現象の発生の阻害要因を効果的に排除することができる。
【００４８】
（立て配管部１３）
図４は、雨水排水装置１０の模式構成図である。
【００４９】
立て配管部１３は、２つの流入口１１の各々から下方に向かって配置されている。立て配管部１３は、図２に示すように、配管２１を有している。配管２１は、ＰＥ（ポリエチレン）製の管状部材であって、図２に示すように、略鉛直方向（上下方向ともいえる）に沿って配置されている。
【００５０】
配管２１の上端（立て配管部１３の上端１３ａともいえる）は、流入口１１の縁に下方から接続されており、流入口１１に繋がっている。配管２１の下端（立て配管部１３の下端ともいえる）は、横引き配管部１４に繋がっている。
【００５１】
配管２１には、例えば、呼び径が５０Ａ、７５Ａ、１００Ａ、１２５Ａ，１５０Ａ、２００Ａ等の配管が用いられる。内径は、配管の種類ごとに各呼び径において決められている。配管の材料は、本実施の形態では、例えばポリエチレンが用いられているが、これに限られるものではなく、例えばポリ塩化ビニルが用いられてもよい。
【００５２】
立て配管部１３の流入口１１から横引き配管部１４までの長さＬは、６０ｃｍ以上に設定されている。立て配管部１３の流入口１１から後述する接続部５１、５２までの長さＬが６０ｃｍ以上に設定されているともいえる。
【００５３】
なお、本実施の形態では、立て配管部１３は、一本の配管２１を有しているが、複数の配管２１とそれらの間を繋ぐ継手を有していてもよい。
【００５４】
（横引き配管部１４）
横引き配管部１４は、横方向に沿って配置されており、２つの立て配管部１３の下端に繋がっている。横引き配管部１４の端には、後述する立て配管部１５が接続されている。また、図では示していないが、横引き配管部１４は、立て配管部１５側の端が、反対側の端よりも低くなるように若干傾斜して配置されており、２つの立て配管部１３から流れ込む雨水を立て配管部１５に向かって移動させる。
【００５５】
図４は、横引き配管部１４の構成を示す図である。横引き配管部１４は、横方向に沿って順に配置された、エルボ継手３１と、第１配管３２と、三方継手３３と、第２配管３４と、エルボ継手３５と、を有する。
【００５６】
第１配管３２の一端は、立て配管部１５から遠い方の立て配管部１３の下端にエルボ継手３１によって接続されている。第１配管３２の他端は、三方継手３３に接続されている。三方継手３３には、２つの立て配管部１３のうち立て配管部１５に近い方の立て配管部１３の下端と、第２配管３４の一端が接続されている。第２配管３４の他端は、エルボ継手３５を介して立て配管部１５の上端に接続されている。
【００５７】
ここで、２つの立て配管部１３の横引き配管部１４への接続部を５１、５２とし、横引き配管部１４の立て配管部１５との接続部を５３として、図４に示す。接続部５１が立て配管部１５から遠く、接続部５２が立て配管部１５に近く配置されている。また、接続部５１と接続部５２の間の横引き配管部１４の距離をＹとし、接続部５２と接続部５３の間の横引き配管部１４の距離をＷとすると、ＹおよびＷは、１５ｍ以下に設定されている。
【００５８】
すなわち、隣り合う接続部５１、５２の間の距離が１５ｍ以下に設定されている。また、横引き配管部１４の立て配管部１５との接続部５３から最も近い接続部５２までの横引き配管部１４の距離が１５ｍ以下に設定されている。
【００５９】
第１配管３２、および第２配管３４には、例えば、呼び径が５０Ａ、７５Ａ、１００Ａ、１２５Ａ，１５０Ａ、２００Ａ等の配管が用いられる。内径は、配管の種類ごとに各呼び径において決められている。配管の材料は、本実施の形態では、例えばポリエチレンが用いられているが、これに限られるものではなく、例えばポリ塩化ビニルが用いられてもよい。また、第１配管３２および第２配管３４に同じ呼び径の配管を使用しても良いし、異なった呼び径の配管を使用してもよく、例えば、第１配管３２、第２配管３４の順に大きい呼び径の配管を使用しても良い。
【００６０】
（立て配管部１５）
立て配管部１５は、縦方向に沿って配置されており、その上端が接続部５３において横引き配管部１４に接続されている。立て配管部１５はスラブ１０１を貫通して配置されている。
【００６１】
立て配管部１５は、図４に示すように、第１配管６１と、継手６２と、第２配管６３と、を有する。第１配管６１の上端は、エルボ継手３５に接続されている。第１配管６１の下端は、継手６２に接続されている。継手６２は、レデューサであり、管状部材である。第２配管６３の上端は、継手６２に接続されている。第２配管６３の下端は、排水部１６に接続されている。第１配管６１および第２配管６３は、材料として、本実施の形態では、例えばポリエチレンが用いられているが、これに限られるものではなく、例えばポリ塩化ビニルが用いられてもよい。継手６２は、ポリエチレンを材料として形成されている。
【００６２】
第１配管６１は、例えば、呼び径が７５Ａ、１００Ａ、１２５Ａ，１５０Ａ、２００Ａ等の配管が用いられる。第２配管６３は、例えば、呼び径が５０Ａ、６５Ａ、７５Ａ、１００Ａ、１２５Ａ，１５０Ａ等の配管が用いられる。第１配管６１と第２配管６３は呼び径が同じ配管を用いることもできるが、第１配管６１は、第２配管６３よりも呼び径が大きい配管が好ましく用いられる。例えば、呼び径７５Ａの第２配管６３を用いた場合、呼び径１００Ａの第１配管６１を用いることができる。
【００６３】
このように、配管の径を、継手６２（縮径部）を用いて第１配管６１を第２配管６３よりも呼び径が大きい配管とすることにより圧力が緩和されることでキャビテーションの発生を抑制し、また呼び径を縮径する効果として流れに対する抵抗が大きくなることにより地面近傍における水の衝突音を低減することができる。
【００６４】
（排水部１６）
排水部１６は、立て配管部１５の下端に接続されており、雨水を建造物１００の外側に排出する。排水部１６は、エルボ継手７１と、配管７２とを有する。エルボ継手７１は、第２配管６３の下端に接続されている。配管７２は、エルボ継手７１に接続されている。配管７２は、建造物１００の内側から外側に延ばされており、図示しない雨水マスに接続されている。立て配管部１５を通って落下してきた雨水は、配管７２を通って建造物１００の外側に排出され、図示しない雨水マスを介して下水管に排出される。
【００６５】
＜２．作用＞
建造物１００の屋上１０５に降った雨水が凹部１０２への流れ込み、流入口１１に配置されたサイフォン誘発部１２を通って配管２１に流れ込む。ここで、サイフォン現象が発生するため、立て配管部１３が満管となり、大量の雨水を排水することができる。
【００６６】
複数の流入口１１から流れ込んだ雨水は、立て配管部１３を落下すると、横引き配管部１４に流れ込み、立て配管部１５に流れ込む。ここで、第１配管６１を第２配管６３よりも呼び径が大きい配管とすることにより圧力が緩和される。これによって、キャビテーションの発生が低減される。
【００６７】
立て配管部１５を落下した雨水は、排水部１６から建造物１００の外側へと導かれ、雨水マスを介して下水管へと排水される。
【００６８】
＜３．実施例＞
本実施例では、雨水排水装置１０において、Ｌ、ＹおよびＷの長さを変化させたときの実施例１〜８および比較例１〜７を示す。
【００６９】
図５は、実施例１〜８および比較例１〜７を示す表である。凹部１０２から排水したときに、凹部１０２内において水深が上がらず流下していくかを確認し、流下した場合を良好（○）と示し、流下せず水位が上昇した場合を不良（×）と示した。
【００７０】
（実施例１）
実施例１では、呼び径５０Ａのポリエチレン製の配管２１を用い、流入口１１のサイズを５０Ａとし、配管２１の外径を６０ｍｍとし、配管３２は５０Ａ、配管３４は６５Ａとし、Ｌを０．６ｍ、Ｙを１ｍ、Ｗを１５ｍに設定、配管６１は６５Ａ（参考：長さ２ｍ）、継手６２で縮径して配管６３は５０Ａとし、１０Ｌ／ｓの流量で排水の実験を行った。その結果は、凹部１０２において水深が上がらず流下し良好（○）であった。
【００７１】
（実施例２）
実施例２では、呼び径５０Ａのポリエチレン製の配管２１を用い、流入口１１のサイズを５０Ａとし、配管２１の外径を６０ｍｍとし、配管３２は６５Ａ、配管３４は６５Ａとし、Ｌを０．６ｍ、Ｙを１５ｍ、Ｗを１ｍに設定、配管６１は６５Ａ（参考：長さ２ｍ）、継手６２で縮径して配管６３は５０Ａとし、１０Ｌ／ｓの流量で排水の実験を行った。その結果は、凹部１０２において水深が上がらず流下し良好（○）であった。
【００７２】
（実施例３）
実施例３では、呼び径５０Ａのポリエチレン製の配管２１を用い、流入口１１のサイズを５０Ａとし、配管２１の外径を６０ｍｍとし、配管３２は６５Ａ、配管３４は６５Ａとし、Ｌを０．６ｍ、Ｙを１５ｍ、Ｗを１５ｍに設定、配管６１は６５Ａ（参考：長さ２ｍ）、継手６２で縮径して配管６３は５０Ａとし、１０Ｌ／ｓの流量で排水の実験を行った。その結果は、凹部１０２において水深が上がらず流下し良好（○）であった。
【００７３】
（実施例４）
実施例４では、呼び径７５Ａのポリエチレン製の配管２１を用い、流入口１１のサイズを７５Ａとし、配管２１の外径を８９ｍｍとし、配管３２は１００Ａ、配管３４は１００Ａとし、Ｌを０．６ｍ、Ｙを１５ｍ、Ｗを１ｍに設定、配管６１は１００Ａ（参考：長さ２ｍ）、継手６２で縮径して配管６３は１００Ａとし、３０Ｌ／ｓの流量で排水の実験を行った。その結果は、凹部１０２において水深が上がらず流下し良好（○）であった。
【００７４】
（実施例５）
実施例５では、呼び径７５Ａのポリエチレン製の配管２１を用い、流入口１１のサイズを７５Ａとし、配管２１の外径を８９ｍｍとし、配管３２は１００Ａ、配管３４は１００Ａとし、Ｌを０．６ｍ、Ｙを１ｍ、Ｗを１５ｍに設定、配管６１は１００Ａ（参考：長さ２ｍ）、継手６２で縮径して配管６３は１００Ａとし、３０Ｌ／ｓの流量で排水の実験を行った。その結果は、凹部１０２において水深が上がらず流下し良好（○）であった。
【００７５】
（実施例６）
実施例６では、呼び径１００Ａのポリエチレン製の配管２１を用い、流入口１１のサイズを７５Ａとし、配管２１の外径を１１４ｍｍとし、配管３２は１２５Ａ、配管３４は１２５Ａとし、Ｌを０．６ｍ、Ｙを１５ｍ、Ｗを１ｍに設定、配管６１は１２５Ａ（参考：長さ１ｍ）、継手６２で縮径して配管６３は１００Ａとし、５０Ｌ／ｓの流量で排水の実験を行った。その結果は、凹部１０２において水深が上がらず流下し良好（○）であった。
【００７６】
（実施例７）
実施例７では、呼び径１００Ａのポリエチレン製の配管２１を用い、流入口１１のサイズを７５Ａとし、配管２１の外径を１１４ｍｍとし、配管３２は１２５Ａ、配管３４は１２５Ａとし、Ｌを０．６ｍ、Ｙを１ｍ、Ｗを１５ｍに設定、配管６１は１２５Ａ（参考：長さ１ｍ）、継手６２で縮径して配管６３は１００Ａとし、５０Ｌ／ｓの流量で排水の実験を行った。その結果は、凹部１０２において水深が上がらず流下し良好（○）であった。
【００７７】
（実施例８）
実施例８では、呼び径７５Ａのポリエチレン製の配管２１を用い、流入口１１のサイズを７５Ａとし、配管２１の外径を８９ｍｍとし、配管３２は１００Ａ、配管３４は１００Ａとし、Ｌを０．６ｍ、Ｙを１５ｍ、Ｗを１５ｍに設定、配管６１は１００Ａ（参考：長さ２ｍ）、継手６２で縮径して配管６３は１００Ａとし、３０Ｌ／ｓの流量で排水の実験を行った。その結果は、凹部１０２において水深が上がらず流下し良好（○）であった。
【００７８】
（比較例１）
比較例１では、呼び径５０Ａのポリエチレン製の配管２１を用い、流入口１１のサイズを５０Ａとし、配管２１の外径を６０ｍｍとし、配管３２は６５Ａ、配管３４は６５Ａとし、Ｌを０．６ｍ、Ｙを１６ｍ、Ｗを１６ｍに設定、配管６１は６５Ａ（参考：長さ２ｍ）、継手６２で縮径して配管６３は５０Ａとし、１０Ｌ／ｓの流量で排水の実験を行った。その結果は、凹部１０２において水深が上がり排水が不良（×）であった。
【００７９】
（比較例２）
比較例２では、呼び径７５Ａのポリエチレン製の配管２１を用い、流入口１１のサイズを７５Ａとし、配管２１の外径を８９ｍｍとし、配管３２は１００Ａ、配管３４は１００Ａとし、Ｌを０．６ｍ、Ｙを１６ｍ、Ｗを１６ｍに設定、配管６１は１００Ａ（参考：長さ２ｍ）、継手６２で縮径して配管６３は１００Ａとし、３０Ｌ／ｓの流量で排水の実験を行った。その結果は、凹部１０２において水深が上がり排水が不良（×）であった。
【００８０】
（比較例３）
比較例３では、呼び径７５Ａのポリエチレン製の配管２１を用い、流入口１１のサイズを７５Ａとし、配管２１の外径を８９ｍｍとし、配管３２は１００Ａ、配管３４は１００Ａとし、Ｌを０．５ｍ、Ｙを１５ｍ、Ｗを１５ｍに設定、配管６１は１００Ａ（参考：長さ２ｍ）、継手６２で縮径して配管６３は１００Ａとし、３０Ｌ／ｓの流量で排水の実験を行った。その結果は、凹部１０２において水深が上がり排水が不良（×）であった。
【００８１】
（比較例４）
比較例４では、呼び径１００Ａのポリエチレン製の配管２１を用い、流入口１１のサイズを７５Ａとし、配管２１の外径を８９ｍｍとし、配管３２は１００Ａ、配管３４は１００Ａとし、Ｌを０．６ｍ、Ｙを１６ｍ、Ｗを１６ｍに設定、配管６１は１２５Ａ（参考：長さ１ｍ）、継手６２で縮径して配管６３は１００Ａとし、５０Ｌ／ｓの流量で排水の実験を行った。その結果は、凹部１０２において水深が上がり排水が不良（×）であった。
【００８２】
（比較例５）
比較例５では、呼び径１００Ａのポリエチレン製の配管２１を用い、流入口１１のサイズを７５Ａとし、配管２１の外径を８９ｍｍとし、配管３２は１００Ａ、配管３４は１００Ａとし、Ｌを０．５ｍ、Ｙを１５ｍ、Ｗを１５ｍに設定配管６１は１２５Ａ（参考：長さ１ｍ）、継手６２で縮径して配管６３は１００Ａとし、５０Ｌ／ｓの流量で排水の実験を行った。その結果は、凹部１０２において水深が上がり排水が不良（×）であった。
【００８３】
（比較例６）
比較例６では、呼び径７５Ａのポリエチレン製の配管２１を用い、流入口１１のサイズを７５Ａとし、配管２１の外径を８９ｍｍとし、配管３２は１００Ａ、配管３４は１００Ａとし、Ｌを０．６ｍ、Ｙを１６ｍ、Ｗを１ｍに設定、配管６１は１００Ａ（参考：長さ２ｍ）、継手６２で縮径して配管６３は１００Ａとし、３０Ｌ／ｓの流量で排水の実験を行った。その結果は、凹部１０２において水深が上がり排水が不良（×）であった。
【００８４】
（比較例７）
比較例７では、呼び径７５Ａのポリエチレン製の配管２１を用い、流入口１１のサイズを７５Ａとし、配管２１の外径を８９ｍｍとし、配管３２は１００Ａ、配管３４は１００Ａとし、Ｌを０．６ｍ、Ｙを１ｍ、Ｗを１６ｍに設定、配管６１は１００Ａ（参考：長さ２ｍ）、継手６２で縮径して配管６３は１００Ａとし、３０Ｌ／ｓの流量で排水の実験を行った。その結果は、凹部１０２において水深が上がり排水が不良（×）であった。
【００８５】
実施例８と比較例３から、流入口１１から横引き配管部１４までの距離Ｌを６０ｃｍ以上に設定することにより、排水が良好となることがわかる。
【００８６】
また、実施例８と比較例６から、隣り合う接続部５１、５２の間隔Ｙを１５ｍ以下に設定することにより排水が良好となることがわかる。
【００８７】
また、実施例８と比較例７から、接続部５３に最も近い接続部５２までの横引き配管部１４の長さＷを１５ｍ以下に設定することにより排水が良好となることがわかる。
【００８８】
＜４．特徴等＞
（１）
本実施の形態の雨水排水装置１０は、流入口１１と、立て配管部１３（第１配管部の一例）と、横引き配管部１４（第２配管部の一例）と、を備える。流入口１１は、雨水が流入する。立て配管部１３は、流入口１１に接続され、縦方向に沿って配置されている。横引き配管部１４は、接続部５１、５２（第１接続部の一例）において立て配管部１３に接続され、横方向に沿って配置されている。接続部５１から流入口１１までの立て配管部１３の長さＬおよび接続部５２から流入口１１までの立て配管部１３の長さＬは、６０ｃｍ以上である。
【００８９】
このように、縦方向に配置されている立て配管部１３の流入口１１から横引き配管部１４までの長さＬを６０ｃｍ以上に設定することによって、サイフォン現象を発現させることが可能な状態で、ビル等の建造物に適用できる横引き配管部１４の長さを確保することができる。
【００９０】
このため、建造物の内側にも適用可能な構成において、より確実にサイフォン現象を発現させることができる。
【００９１】
なお、本明細書における「縦方向」とは、厳密な意味でなく、社会通念上縦方向と認識可能な範囲であればよく、傾斜があってもよい。また、「横方向」とは、厳密な意味でなく、社会通念上横方向と認識可能な範囲であればよく、傾斜があってもよい。
【００９２】
（２）
本実施の形態の雨水排水装置１０では、流入口１１と立て配管部１３（第１配管部の一例）と接続部５１、５２（第１接続部の一例）は、複数設けられている。隣り合う接続部５１、５２の間隔Ｙは、１５ｍ以下である。
【００９３】
このように、横引き配管部１４に複数の流入口１１から雨水が流れ込む場合において、接続部５１、５２の間の長さを１５ｍ以下に設定することにより、サイフォン現象を発現させることができる。
【００９４】
（３）
本実施の形態の雨水排水装置１０は、立て配管部１５（第３配管部の一例）を更に備える。立て配管部１５は、接続部５３（第２接続部の一例）において横引き配管部１４（第２配管部の一例）に接続され、横引き配管部１４の下側に縦方向に沿って配置されている。横引き配管部１４から、接続部５３に最も近い接続部５２までの横引き配管部１４の長さＷは、１５ｍ以下である。
【００９５】
このように、横引き配管部１４に複数の流入口１１から雨水が流れ込む場合であっても、接続部５３と接続部５３に最も近い接続部５２との間の長さＷを１５ｍ以下に設定することにより、サイフォン現象を発現させることができる。
【００９６】
（４）
本実施の形態の雨水排水装置１０は、更にサイフォン誘発部１２を更に備える。サイフォン誘発部１２は、流入口１１に配置され、サイフォン現象を誘発する。
【００９７】
これにより、より確実にサイフォン現象を発現させることができる。
＜５．他の実施形態＞
以上、本発明の一実施形態について説明したが、本発明は上記実施形態に限定されるものではなく、発明の要旨を逸脱しない範囲で種々の変更が可能である。
【００９８】
（Ａ）
上記実施の形態では、１つの雨水排水装置１０には、流入口１１とサイフォン誘発部１２と立て配管部１３の組が２組設けられているが、２組に限らなくてもよく、３組以上設けられていてもよいし、１組だけ設けられていてもよい。
【００９９】
図６は、流入口１１とサイフォン誘発部１２と立て配管部１３の組が３組設けられている雨水排水装置１０´を示す模式図である。図６に示す雨水排水装置１０´では、２組の間に、更に流入口１１とサイフォン誘発部１２と立て配管部１３の組が設けられている。
【０１００】
この場合、横引き配管部１４´は、横方向に順に配置された、エルボ継手３１と、第１配管３２と、三方継手３６と、第３配管３７と、三方継手３３と、第２配管３４と、エルボ継手３５と、を有する。すなわち、実施の形態の横引き配管部１４と異なり、三方継手３６と、第３配管３７が更に設けられている。
【０１０１】
上記実施の形態と異なり、第１配管３２の立て配管部１５側の端は、三方継手３６に接続されており、三方継手３６には、上方から立て配管部１３が接続されている。また、三方継手３６には、第３配管３７の一端が接続されており、第３配管３７の他端が、三方継手３３に接続されている。
【０１０２】
ここで、図６に示すように、立て配管部１５から最も遠い接続部５１と、３つのうち真ん中の立て配管部１３と横引き配管部１４´との接続部５４との間の横引き配管部１４´に沿った距離をＹ１とし、接続部５４と接続部５２の間の横引き配管部１４´に沿った距離をＹ２とする。また、上記実施の形態と同様に、接続部５２と接続部５３の間の横引き配管部１４´に沿った距離をＷとする。この場合、Ｙ１、Ｙ２およびＷは、１５ｍ以下に設定されている。なお、Ｙ１とＹ２は、１５ｍ以下であれば、同じ距離でなくてもよい。
【０１０３】
また、図７は、流入口１１とサイフォン誘発部１２と立て配管部１３の組が１組だけ設けられている雨水排水装置１０´´を示す模式図である。この場合、横引き配管部１４´´（第２配管部の一例）は、横方向に沿って順に配置された、エルボ継手３１と、第１配管３２と、エルボ継手３５と、を有する。エルボ継手３１は、上方から接続された立て配管部１３と第１配管３２を繋ぐ。第１配管３２の立て配管部１５側の端がエルボ継手３５に接続され、エルボ継手３５が立て配管部１５（第３配管部の一例）に接続されている。この場合、立て配管部１３の横引き配管部１４´との接続部５１（第１接続部の一例）と横引き配管部１４´´と立て配管部１５との接続部５３（第２接続部の一例）の間の横引き配管部１４´´の距離Ｗは、１５ｍ以下に設定されている。
【０１０４】
このように、横引き配管部１４´´に１つの流入口１１から雨水が流れ込む場合において、接続部５１と接続部５３の間の長さを１５ｍ以下に設定することにより、サイフォン現象を発現させることができる。
【０１０５】
（Ｂ）
上記実施の形態では、２つの立て配管部１３の流入口１１から横引き配管部１４までの長さＬは同じ長さに設定されているが、６０ｃｍ以上の長さが確保されていれば、立て配管部１３の流入口１１から横引き配管部１４までの長さが異なっていてもよい。
【０１０６】
（Ｃ）
上記実施の形態では、雨水排水装置１０は、対向する２つの側面にのみ設けられているが、４つの側面全ての近傍に設けられていてもよい。
【０１０７】
（Ｄ）
上記実施の形態では、配管と配管とを継手で接続しているが、これに限らなくても良く、配管と配管が直接接続されていてもよい。
【０１０８】
（Ｅ）
上記実施の形態の雨水排水装置１０では、流路方向に垂直な断面（流路断面）が円形状の配管を用いているが、円形状に限らなくても良く、楕円形状や四角形状等であってもよい。
【０１０９】
（Ｆ）
上記実施の形態では、配管はポリエチレンで形成されていると説明したが、本発明はこれに限定されるものではない。例えば、ポリエチレン以外にも、ＰＰ（ポリプロピレン）等の他のオレフィン系樹脂や、ＰＶＣ（塩ビ）等の他の樹脂を用いてもよい。
【０１１０】
更に、上記配管は、樹脂製に限らず、金属製であってもよい。
（Ｇ）
上記実施の形態では、継手はポリエチレンによって形成されていると説明したが、本発明はこれに限定されるものではない。例えば、ポリエチレン以外にも、ＰＰ（ポリプロピレン）等の他のオレフィン系樹脂や、ＰＶＣ（塩ビ）等の他の樹脂を用いてもよい。
【０１１１】
更に、継手は、樹脂製に限らず、金属製であってもよい。なお、金属製の継手と配管と接続する場合には、例えば、ネジ接続やメカニカル継手（例えば、可とう継手など）、フランジが用いられる。
【０１１２】
（Ｈ）
上記実施の形態では、雨水排水装置１０は、建造物１００の屋内に配置されているが、これに限られるものではなく、屋外に配置されていてもよい。
【０１１３】
（Ｉ）
上記実施の形態の雨水排水装置１０では、図３（ａ）および図３（ｂ）に示すサイフォン誘発部１２が設けられているが、これに限られるものではない。また、凹部１０２や屋上１０５の形状等の条件によってサイフォン現象が発生する場合には、サイフォン誘発部１２が設けられていなくてもよい。
【０１１４】
（Ｊ）
上記実施の形態の雨水排水装置１０では、立て配管部１５の途中で縮径されているが、縮径されていなくてもよい。
【産業上の利用可能性】
【０１１５】
本発明の雨水排水装置によれば、より確実にサイフォン現象を発現させることが可能な効果を有し、各種排水装置等として利用可能である。
【符号の説明】
【０１１６】
１０      ：雨水排水装置
１１      ：流入口
１３      ：立て配管部
１４      ：横引き配管部
５１      ：接続部
５２      ：接続部
【図１】
2020016096.tif 000003
【図２】
2020016096.tif 000004
【図３】
2020016096.tif 000005
【図４】
2020016096.tif 000006
【図５】
2020016096.tif 000007
【図６】
2020016096.tif 000008
【図７】
2020016096.tif 000009